【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
撮像結果を出力する撮像手段と、
前記撮像結果をアナログディジタル変換処理して画像データを出力するアナログディジタル変換手段と、
前記画像データによる元画像を所定の段階数だけ順次段階的に解像度を低減して複数の縮小画像を生成する縮小画生成手段と、
前記縮小画生成手段で生成される複数の縮小画像のうちの最も解像度の低い縮小画像については、対応する画像データを符号化処理して符号化データを出力し、他の縮小画像及び前記元画像については、１段階だけ解像度の低い前記縮小画像による予測画像データとの差分データを符号化処理して符号化データを出力する符号化手段と、
前記符号化データから前記予測画像データを生成する予測画像データ生成手段と
を備えることを特徴とする撮像装置。
【請求項２】
前記縮小画生成手段における前記段階数を、前記撮像手段による撮像結果に応じて切り換える制御手段を有する
ことを特徴とする請求項１に記載の撮像装置。
【請求項３】
前記縮小画生成手段における前記段階数を、前記符号化データの伝送路の帯域に応じて切り換える制御手段を有する
ことを特徴とする請求項１に記載の撮像装置。
【請求項４】
前記縮小画生成手段における前記段階的な解像度の低減が、
水平方向及び垂直方向に画像の大きさを１／２に順次縮小する処理の繰り返しである
ことを特徴とする請求項１に記載の撮像装置。
【請求項５】
前記最も解像度の低い縮小画像による前記符号化データを送出した後、前記縮小画生成手段における段階的な解像度の低減を逆上る順序により前記差分データによる符号化データを送出する
ことを特徴とする請求項１に記載の撮像装置。
【請求項６】
前記予測画像データ生成手段は、
前記符号化データを復号化して画像データ、差分データを出力する復号化手段と、
前記復号化手段より得られる前記画像データを一時保持する画像メモリと、
前記画像メモリに保持した前記画像データによる画像を１段階分だけ解像度を増大して前記予測画像データを生成する拡大画生成手段と、
前記予測画像データに前記復号化手段で復号化された差分データを加算して画像データを生成し、該画像データにより前記画像メモリに記録された画像データを更新する加算回路とを有する
ことを特徴とする請求項５に記載の撮像装置。
【請求項７】
前記符号化処理手段による、前記最も解像度の低い縮小画像に係る符号化処理、又は前記差分データに係る符号化処理が、可逆符号化処理である
ことを特徴とする請求項１に記載の撮像装置。
【請求項８】
前記符号化処理手段による、前記最も解像度の低い縮小画像に係る符号化処理、又は前記差分データに係る符号化処理が、不可逆符号化処理である
ことを特徴とする請求項１に記載の撮像装置。
【請求項９】
前記符号化処理手段は、
前記縮小画像の段階に応じて、前記符号化処理を可逆符号化処理と不可逆符号化処理とで切り換える
ことを特徴とする請求項１に記載の撮像装置。
【請求項１０】
前記撮像手段、前記アナログディジタル変換手段、前記縮小画生成手段、前記符号化手段が一体に集積回路化された
ことを特徴とする請求項１に記載の撮像装置。
【請求項１１】
所定の符号化装置で符号化処理された画像データを復号化する復号化装置において、
前記符号化装置は、
画像データによる元画像を所定の段階数だけ順次段階的に解像度を低減して複数の縮小画像を生成する縮小画生成手段と、
前記縮小画生成手段で生成される複数の縮小画像のうちの最も解像度の低い縮小画像については、対応する画像データを符号化処理して符号化データを出力し、他の縮小画像及び前記元画像については、１段階だけ解像度の低い前記縮小画像による予測画像データとの差分データを符号化処理して符号化データを出力する符号化手段と、
前記符号化データから前記予測画像データを生成する予測画像データ生成手段とを有し、
前記復号化装置は、
前記符号化データを復号化して画像データ、差分データを出力する復号化手段と、
前記復号化手段より得られる前記画像データを一時保持する画像メモリと、
前記画像メモリに保持した前記画像データの解像度を１段階分だけ増大して前記予測画像データを生成する拡大画生成手段と、
前記予測画像データに前記復号化手段で復号化された差分データを加算して画像データを生成し、該画像データにより前記画像メモリに記録された画像データを更新する加算回路と
を備えることを特徴とする復号化装置。
【請求項１２】
撮像結果を出力する撮像ステップと、
前記撮像結果をアナログディジタル変換処理して画像データを出力するアナログディジタル変換ステップと、
前記画像データによる元画像を所定の段階数だけ順次段階的に解像度を低減して複数の縮小画像を生成する縮小画生成ステップと、
前記縮小画生成ステップで生成される複数の縮小画像のうちの最も解像度の低い縮小画像については、対応する画像データを符号化処理して符号化データを出力し、他の縮小画像及び前記元画像については、１段階だけ解像度の低い前記縮小画像による予測画像データとの差分データを符号化処理して符号化データを出力する符号化ステップと、
前記符号化データから前記予測画像データを生成する予測画像データ生成ステップとを有する
ことを特徴とする符号化方法。
【請求項１３】
所定の符号化装置で符号化処理された画像データを復号化する復号化方法において、
前記符号化装置は、
画像データによる元画像を所定の段階数だけ順次段階的に解像度を低減して複数の縮小画像を生成する縮小画生成手段と、
前記縮小画生成手段で生成される複数の縮小画像のうちの最も解像度の低い縮小画像については、対応する画像データを符号化処理して符号化データを出力し、他の縮小画像及び前記元画像については、１段階だけ解像度の低い前記縮小画像による予測画像データとの差分データを符号化処理して符号化データを出力する符号化手段と、
前記符号化データから前記予測画像データを生成する予測画像データ生成手段とを有し、
前記復号化方法は、
前記符号化データを復号化して画像データ、差分データを出力する復号化ステップと、
前記復号化ステップより得られる前記画像データを画像メモリに一時保持する保持ステップと、
前記画像メモリに保持した前記画像データの解像度を１段階分だけ増大して前記予測画像データを生成する拡大画生成ステップと、
前記予測画像データに前記復号化ステップで復号化された差分データを加算して画像データを生成し、該画像データにより前記画像メモリに記録された画像データを更新する加算ステップとを有する
ことを特徴とする復号化方法。
【手続補正２】
【補正対象書類名】明細書
【補正対象項目名】発明の名称
【補正方法】変更
【補正の内容】
【発明の名称】撮像装置、復号化装置、符号化方法及び復号化方法
【手続補正３】
【補正対象書類名】明細書
【補正対象項目名】０００１
【補正方法】変更
【補正の内容】
【０００１】
本発明は、撮像装置、復号化装置、符号化方法及び復号化方法に関し、例えば監視装置に適用することができる。本発明は、順次段階的に解像度を低減して複数の縮小画像を生成し、最も解像度の低い縮小画像については、画像データを符号化処理して出力すると共に、他の縮小画像及び元画像については、１段階解像度の低い縮小画像による予測画像データとの差分データを符号化処理して出力するようにして、この段階数を伝送に利用可能な帯域に応じて切り換えることにより、伝送路の帯域が広い範囲で種々に変化する場合でも、この帯域の変化に適切に対応することができるようにする。